(57)【要約】歯科矯正固定部品を正確な位置において歯の表面へ接合することは非常に困難である。本発明は、接着表面（３）が少なくとも１つの方向において凸状に曲げられている歯科矯正固定要素（１０）からなる、この目的のためのキットである。これは、要素の形状が粘着剤を介して歯に適合することを確保する。本発明によれば、歯科矯正固定要素に相補的に形成された凹部を設けられたプロテクタ（２０）が設けられている。プロテクタを有する歯科矯正固定要素は、様々な方向指標（３５−３８）を備えられたアプリケータ（３０）内に確実に適合して保持されることによって、正確な配置が明瞭に識別され得る方法において取り付けられる。
2005519671.tif 000002
【特許請求の範囲】
【請求項１】
ａ）  歯位置の矯正のために適切な歯科矯正固定部品を選択する工程と、
ｂ）  固定部品の歯から離間する表面を、この表面に相補的な受け表面を有するプロテクタで覆う工程と、
ｃ）  覆われた固定部品をプロテクタとともに相補的なアプリケータ内に確実に適合させて収容する工程と、
ｄ）  歯に対面するアプリケータの開口内と、固定部品上とに粘着剤を配置する工程と、
ｅ）  アプリケータ上の補助具を用いることによるアプリケータの手助けよって、固定部品を歯表面上で調整する工程と、
ｆ）  粘着剤を硬化する工程と、
ｇ）  アプリケータを取り外す工程と、
ｈ）  プロテクタを取り外す工程と、を備えた
ことを特徴とするボタン、フック、アイレット、またはブラケットのような歯科矯正固定部品を歯に正確に取り付けるための方法。
【請求項２】
アプリケータの端部輪郭は粘着剤を配置される前の接着領域において歯表面に適合する
ことを特徴とする請求項１に記載の方法。
【請求項３】
歯科矯正固定部品は予め組み込まれる方法で取り付けられたプロテクタとともに用いられる
ことを特徴とする請求項１に記載の方法。
【請求項４】
重合用ランプによって粘着剤を硬化させる
ことを特徴とする請求項１に記載の方法。
【請求項５】
歯表面に粘着（接着）接合する歯科矯正固定部品であって、
固定部品の接着表面が、少なくとも１方向において凸状に曲げられた面を有する
ことを特徴とする歯科矯正固定部品。
【請求項６】
固定部品は複数の部品からなる
ことを特徴とする請求項５に記載の歯科矯正固定部品。
【請求項７】
接着表面は接着を高める構造および表面を有する
ことを特徴とする請求項５に記載の歯科矯正固定部品。
【請求項８】
接着される歯科矯正固定部品を収容するプロテクタであって、
歯科矯正固定部品を収容する相補的な形状を有し、その内部において、力伝達要素との連結部として機能する形状部分が密閉して覆われる
ことを特徴とするプロテクタ。
【請求項９】
歯科矯正固定部品とともに、アンダーカットが外側輪郭となる形状を有する
ことを特徴とする請求項８に記載のプロテクタ。
【請求項１０】
アプリケータに嵌合して接合する凹部を外側輪郭に有する
ことを特徴とする請求項８に記載のプロテクタ。
【請求項１１】
プラスチックから製造される
ことを特徴とする請求項８に記載のプロテクタ。
【請求項１２】
複数の構成部品からなる
ことを特徴とする請求項９に記載のプロテクタ。
【請求項１３】
複数の構成部品からなる固定部品を収納し、
取り付け時に固定部品を正確な位置に一緒に保持する組立枠としても機能する
ことを特徴とする請求項８に記載のプロテクタ。
【請求項１４】
プロテクタによって保護された歯科矯正固定部品を正確な位置に取り付けるためのアプリケータであって、
プロテクタを取り付けられた歯科矯正固定部品が相補的に密閉される方法で収容される受けキャビティと、粘着剤を受ける空間として、アプリケータの密閉表面と歯科矯正固定部品の接着表面との間にある中間の空間と、を備え、
アプリケータまたはアプリケータ内に保持される歯科矯正固定部品を歯に対して調整するための少なくとも１つの補助具がアプリケータに設けられている
ことを特徴とするアプリケータ。
【請求項１５】
挿入された歯科矯正固定部品の周囲を閉鎖して延び、挿入されたブラケットの接着表面に接触してあるいは離間して延びる表面を構成する縁部を、密閉表面として備えた
ことを特徴とする請求項１４に記載のアプリケータ。
【請求項１６】
少なくとも１つの補助具は、角度調整を識別可能にする角度指標である
ことを特徴とする請求項１４に記載のアプリケータ。
【請求項１７】
さらなる少なくとも１つの補助具は、ねじれ調整を識別可能にするねじれ指標である
ことを特徴とする請求項１６に記載のアプリケータ。
【請求項１８】
少なくとも１つの補助具は、歯の軸と、アプリケータに取り付けられたブラケットのアーチ受けスロットのベース表面とに対して、少なくとも略直交して延びるように取り付けられたねじれ指標を有する
ことを特徴とする請求項１４に記載のアプリケータ。
【請求項１９】
補助具はアプリケータ上に一体に形成されている
ことを特徴とする請求項１６乃至１８のいずれか一項に記載のアプリケータ。
【請求項２０】
プラスチックから製造される
ことを特徴とする請求項１４に記載のアプリケータ。
【請求項２１】
互いに対して平行に延びるとともに、アーチ受けスロットに対して平行に延びる１つ以上の回転指標が、歯に対する調整状態を示す角度指標上に一体に形成されている
ことを特徴とする請求項１６に記載のアプリケータ。
【請求項２２】
平行に延びる２つのねじれ指標が取り付けられている
ことを特徴とする請求項１８に記載のアプリケータ。
【請求項２３】
アプリケータ内に一体に形成されるプロテクタを備えた
ことを特徴とする請求項１４に記載のアプリケータ。
【発明の詳細な説明】
【発明の背景】
【０００１】
本発明は、ボタン（buttons）、フック（hooks）、アイレット（eyelets）、またはブラケット（brackets）のような歯科矯正固定部品を歯に正確に取り付けるための方法と、それに応じて方法を実行するための適切な要素と、に関する。歯科矯正は、とりわけ、歯の位置を矯正する。このためには、最も修正された歯科矯正装置だけでなく、力を伝達するための、および／または１つ以上の歯を固定および安定させるための装置が必要となる。装置に関しては、一方では歯科矯正固定部品であり、他方では引張力および圧縮力を伝達するための部品である。引張力および圧縮力は、アーチワイヤ（wire arches）、弾力性のあるゴム製要素、金属スプリングおよびリガーチャワイヤ（ligatures）等を用いて伝達され、一方、ここで対象となる歯科矯正固定部品は、とりわけフックやボタン、それほどではないがアイレット、そして大抵の場合ブラケット等からなる。
【０００２】
ここで主に対象となる歯科矯正部品は、いわゆる金属のストリップ（strips of metal）を用いて歯に固定されてもよいし、あるいは、歯に直接接着されても（貼り付けられても）よい。取り付け時の快適性を向上させるため、一方では可能な限り重さの軽い構造となっていることが望ましく、他方では固定部品と力を伝達する部品との間の連結位置が可能な限り歯に接近していることが望ましい。
【０００３】
これらの要求には、単に機械的強度を原因として限界がある。しかしながら、もっと重要な問題は、一方で、このような歯科矯正固定部品が接着により保持されなければならないことであり、他方で、接着する際に歯に対しての正確な位置が考慮されなければならないことである。
【０００４】
このような歯科矯正固定部品はベースとしての接着表面を有し、その両端が２乃至４ミリメートル程度離間するという事実を考慮するならば、そのような形状において例えば略５°といった厳格な調整は思い違いであることが明らかである。この取り付け位置調整は水平あるいは垂直基準方向に対してなされるものでは全くなく、一方では対応する固定部品が組み込まれる歯の軸に対して行われ、他方では患者の弓状歯列（the dental arch）の特徴に応じてなされるものである。
【０００５】
ブラケットを正確に配置することはとりわけ重要である。なぜなら、いわゆるスロット（slot）または案内溝がブラケット内に延びており、この中に、矯正を実行するための適切な力をブラケットおよび歯上に伝達することができるように予め形状作られたアーチワイヤが挿入されるからである。
【０００６】
ここで、ただ単に例示として、対応するスロットとスロットに収容されるアーチワイヤとを備えたブラケットに関するいくつかの特許文献を参照する。ＣＨ−Ａ−６８５’８５３は公知のスロットに加えて、アーチワイヤの据え付け部品として機能し得る穴を備えている。このブラケットは閉鎖タブ（closure tab）を装備していないが、回動自在、近頃においてはさらに取り外し自在のタブを備えた様々なブラケットが、最近出回るようになってきている。このタブは、一方ではアーチワイヤをクランプした状態でスロット内に保持することができ、他方では開口に対して固定される。このようなブラケットの例に関して、ＷＯ−００／５７８０９、ＷＯ−００／３３７６０、ＷＯ−０１／０５３２４、あるいは米国特許ＵＳ−Ａ−６，０７１，１１９を、ただ単に例として参照する。
【０００７】
これらのすべての文献は、対応する固定部品、とりわけ、これらではブラケットに適切なベースプレートが設けられていることを開示しており、ベースプレートは一方においてベースを大きくして接着表面として機能し、他方において有る程度の配置調整機能を果たし得る。
【０００８】
本発明の目的は、歯科矯正固定部品をより視覚的に制御することができ、それ故に、矯正が実行され得ることを考慮しながら、歯科矯正固定部品をより正確な状態で歯の表面に接着すること（貼り付けること）ができる方法を提供することである。
【０００９】
この目的は、特許請求の範囲の請求項１のａからｈまでの工程に沿った方法により達成され得る。方法に関するさらなる利点は従属項２乃至５により導き出され得る。本発明のさらなる目的は、歯の表面に接着（粘着）接合する歯科矯正固定部品を発明することであり、多くの場合、歯の表面へ接着（粘着）して過剰で重要な適合をもたらす。このような歯科矯正固定部品は、固定部品が少なくとも１方向において凸状に曲げられた表面を有することにおいて、特徴づけられる。本発明による歯科矯正固定部品のさらなる特徴は、従属項７および８により導き出される。しかしながら、それらは、本発明による方法が同様に適用される場合に、より意義の有る方法として用いられるに過ぎない。
【００１０】
本発明による方法を実行することができるようにするため、同様に本発明で考案されるプロテクタが必要とされる。特許請求の範囲の請求項９の特徴部分はこのようなプロテクタを特徴づける。このプロテクタのさらに有用な設計形態は従属項１０および１１において明白にされている。本発明によるプロテクタによって歯科矯正固定部品が保護される場合、特許請求の範囲の請求項１２の特徴を有し、請求項１による方法を実行するために必要とされるアプリケータを用いることにより、本発明よる主目的に沿って歯科矯正固定部品はとりわけ正確な位置に取り付けられ得る。そして、このようなアプリケータは従属項１３乃至２０の特徴をさらに有するようにしてもよい。
【発明を実施するための形態】
【００１１】
方法を実行するために要する要素が添付図面に示されるとともに以下の記載により説明され、そして、方法を実行する際におけるそれらの相互関係が説明される。
【００１２】
図１に示されるブラケット（bracket）としての歯科矯正固定部品（an orthodontic fastening part）の実施の形態である。ここに示される本実施の形態は本発明において意義深いものではない。既に述べたように、固定部品は、満たされるべき歯科矯正上の要求に応じて、フック（hooks）でもあるいはアイレット（eyelets）でもよい。
【００１３】
本発明による方法を実行するため、３つの要素、具体的には、まず第１のものとして歯科矯正固定部品１０と、２０として指し示され、歯科矯正固定部品の歯から離間する側の表面を保護するように覆う相補的な受け凹部を有する１つ以上の構成部品からなるプロテクタ（保護具（protector））と、そしてアプリケータ３０（取付具（applicator））と、を常に必要とする。以下、これらの要素が上述した順番で詳細に記述され、最後に、方法に関するこれらの使用が説明される。
【００１４】
ここに示される歯科矯正固定部品１０について、全体として１で指し示されている１つの部品からなるブラケットとした場合である。ブラケットは、歯科矯正固定部品のベースとして概ね示されているベース２を有している。歯の表面に配置されるようになる表面が、ベース２の接着表面３として表されている。接着表面３の反対側となるベース２は、ここに表わされていない矯正アーチのための垂直支持表面を形成する。実際の固定要素（fastening element）５は、歯科矯正固定部品２のベース上に一体に形成される。この固定要素５はきのこ（a mushroom）状の形状を有してもよく、この場合、いわゆるボタンとなる。また、この固定要素５はフックあるいはアイレットの形状を有してもよい。ブラケットの場合、この固定要素５は、既に述べた合金製の矯正アーチ用の水平支持表面５’として形成される。また、矯正アーチ用の嵌め込み溝５”が水平支持表面５’に設けられてもよい。これは、破線で示されている。矯正アーチは、いわゆる固定具（lock）（掛け金（latch））６を用いて固定された状態で、垂直支持表面上、または水平支持表面５’上、または嵌め込み溝５”内に保持される。固定具（掛け金）は、板状に製造されてもよく、あるいはここに示されているように弓状ワイヤ（a wire bow）（アーチワイヤ）から製造されてもよい。ビード（bead）の形式をとった適切な据え付け具７が、閉鎖スプリング（a closure spring）として機能する対応する弓状ワイヤ（アーチワイヤ）の据え付けのため構成されている。固定要素５の下側において、固定具（掛け金）の閉鎖スプリング用の格子状ノッチの形式をとったいくつかの形状が内方に（凹状に）形成されている。本発明は、実用的にはどんな形状の固定具（掛け金）でもよい。固定要素５は、歯科矯正固定部品のベースに対して直交するように延びる格子状溝８をさらに有している。溝８は、一方で、これから記載されるプロテクタの正確な配置に役立ち、他方で、様々な固定具の固定に役立つ。
【００１５】
歯科矯正固定部品１０に関連して、とりわけ特徴的であるベースと、ベース上のその接着表面とが形成されている。従来式の歯科矯正固定要素において、ベースの接着表面３は歯の表面の形状に沿うようになっているのに対して、ここでは固定部品の接着表面は少なくとも１つの方向において凸状に曲げられるように構成されている。意識的に歯の表面の形状から逸脱させているのである。このように形成された接着表面３の特別の重要性は、本発明による方法とともにより詳しく説明される。
【００１６】
歯科矯正固定部品がブラケットの形状を有していない場合であっても、歯科矯正固定部品の適切なベース２を有し、またここで少なくとも１つの方向において凸状に曲げられている接着表面をそれに応じて同様に有する。歯科矯正固定部品として、例えばボタンが用いられている場合、もちろん、閉鎖スプリングとの組合せにおいて必要とされる要素は除去される。
【００１７】
本発明による方法において、プロテクタ２０が歯科矯正固定部品１０に取り付けられる。その名称が既に述べているように、プロテクタは汚染、とりわけ粘着物が堆積することからの汚染に対して歯科矯正固定部品１０を保護するためのものである。これを達成するために、プロテクタ２０は歯科矯正固定部品と相補的な形状を有している。プロテクタは、連結のために力伝達要素（the force-transmitting elements）と協働する形状部分を密閉して覆う。ブラケット１と適合するように形成されたプロテクタ２０は、ビードの形式をとった据え付け具７内に嵌め込まれ得る固定ビード（a retaining bead）２１を有する。さらにまた、ブラケットは固定要素５だけでなく垂直支持表面４とも相補的な形状を有している。ベースに対して直交して延びる溝８に対応した適切なウェブ（web）２２が、格子状溝９，９’，９”と相補的な形状を有するリブ（ribs）２３とともに設けられている。プロテクタ２０の外側輪郭はアンダーカット（undercuts）無しに形成されてもよい。しかしながら、このことは示されている構成には当てはまらない。むしろ、固定口（a retaining jaw）２４は内方に（凹状に）形成されている。固定口２４は、これから記載されるアプリケータを受け取って（食い付いて）確実に接合するために役立つ。
【００１８】
また、ブラケットはいくつかの部品から構成されてもよい。この場合、プロテクタは同時に、位置調整し接合する間にブラケットの各部品を一体に一緒して保持するため、組立枠（an assembly gauge）（テンプレート（template））としても機能する。
【００１９】
固定部品について要素がブラケットでない場合、もちろん、プロテクタ２０はこの形状に相補的に適合しなければならない。ある形状の歯科矯正固定部品との形状の相補的な適合は、１つの部品では達成できないかもしれない。したがって、そのような場合においては、プロテクタは、２つまたはいくつかの部品から組み立てられ得るように構成されなければならない。特にボタンについては、例えば、プロテクタは確実に適合して組み立てられ得る２つの半分けシェル（two half shell）からなるようにしてもよい。また、異なる形状の歯科矯正固定要素に対して、プロテクタもまた異なる。しかしながら、歯科矯正固定部品に対して相補的な受け取り形状に形成されるべきプロテクタをどのように適合させるか／形作るかは、当業者にとって自明なことである。
【００２０】
最後に、全体として３０で指し示されたアプリケータ（取付具）が本発明による方法を実行するために必要となる。このアプリケータ３０は、受けキャビティ３２が内方に形成された受け体３１を有している。受けキャビティ３２内は、接続された歯科矯正固定部品と、歯科矯正固定部品を保護するプロテクタ２０と相補的な形状となっており、接続された歯科矯正固定部品と、歯科矯正固定部品を保護するプロテクタ２０とが確実に適合して収納される。収容は、確実に適合した状態で実施されるだけでなく、密閉した状態で実施される。密閉プレート３３が受け体３１上に一体に形成されており、このプレートは歯の表面に密閉して押圧され得る。プロテクタ２０とともにアプリケータ３０内に取り付けられた歯科矯正固定部品１０の接着表面３と、密閉表面３３との間にある程度の空洞が残る。この空洞は歯科矯正固定部品上に塗布される粘着剤により埋められる。接着表面３が少なくとも１つの方向において凸状に曲げられていることから、この残った空洞は確保される。また、プロテクタ２０とともにアプリケータ内に正確に取り付けられた場合、最も高い部分が密閉表面３３のわずか下方まで最大限に延在するよう、曲部が形成されている。したがって、連続的な粘着層が歯と歯科矯正固定部品１０との間に確実に形成される。
【００２１】
ここに示された実施の形態において、固定ブロック３４が受け体３２内に固定されている。この固定ブロック３４は一部品としてアプリケータ３０上に一体に形成されており、歯科矯正固定部品上に取り付けられたプロテクタ２０が正確に挿入されると、固定口２４に確実に適合してしっかりはまり込む。
【００２２】
歯に対して、アプリケータあるいはそこに保持された歯科矯正固定部品の配置を調整するための補助具がアプリケータに設けられている。これらの補助具について、歯の軸を示す指標（indicator）（指示棒（pointer））、およびこの指示棒３５上に固定され角度調整を識別可能とする少なくとも１つの角度指示棒（angulation pointer）３６としている。角度指示棒は全体としてアプリケータ３０の最大幅より長くなっている。このように、角度指標は、固定される歯科矯正固定部品のＸ方向を指し示す。この表示はブラケットを用いる場合特に重要となる。Ｙ方向を指し示す指示棒３５は、結果としてＹ軸の格子線となる様々な継ぎ足し部３７を設けられてもよい。２つの平行に延びるさらなる補助具が、ねじれ指標３８の形態として、受け体３１の表面上に実際的に密閉表面３３に直交して取り付けられている。ねじれ指標３８はねじれ調整を識別可能にする。このように、ねじれ指標はＺ軸と平行であり、したがって、補助具として設けられた他の指標とともに、視覚的に識別可能で、大幅に改良され、結果としてより正確な歯科矯正固定部品の歯への取り付けを可能とする。
【００２３】
用いられる本発明による方法が、方法の適用に必要となる個々の要素についての記載によって、同様に本質的に明らかにされてきた。これにもかかわらず、再度、方法の個々の手順を順を追って示していく。まず第１の手順として、歯科矯正医が歯の位置の矯正を計画する際に、用いられるべき歯科矯正固定部品の種類を選択するだろう。次に、プロテクタ２０によって、所望の歯科矯正固定部品の歯から離間する側の表面上をプロテクタ２０で覆う。したがって、相補的な受け表面を有するプロテクタは、力を伝達する適切な部品を固定するように機能する歯科矯正固定部品の機能的な表面を保護する。このようにして、覆われた歯科矯正固定部品は、既に述べたプロテクタ２０とともに対応するアプリケータの受け空間３２内に嵌め込まれる。ここで、アプリケータは歯科矯正固定部品１０およびプロテクタ２０と相補的に構成された形状を有している。次に、妥当な粘着剤が接着表面上にある程度余分に堆積される。これにより、接着表面３とアプリケータの密閉表面３３との間に残っている空洞が完全に埋められる。次に、アプリケータ３’の手助けによって、固定部品が配置調整され、正確な位置において歯に押圧される。そして、粘着剤はそのまま硬化する。青色光を透過させるプラスチックをプロテクタおよびアプリケータに選択し、重合用ランプ（a polymerization lamp）を用いた最適な方法により粘着剤を硬化させてもよい。硬化が完了すると、歯科矯正固定部品からまず最初にアプリケータを取り外し、この後にプロテクタが取り外される。最後に、いまだ残っている余分な粘着剤が、歯の表面から取り除かれる。
【００２４】
好ましくは、強度上の理由から、歯科矯正固定部品を今日において一般的な材料、具体的には合金、またはセラミック、ガラス、または高強度プラスチックから製造するだろう。プロテクタ２０は、好ましくは、比較的に軟らかい材料から製造される。その場合、必要とされる輪郭によく適合する。アプリケータは、好ましくは、同様にプラスチックから製造される。
【００２５】
実施において、３つすべて部品、具体的には、歯科矯正固定部品と、プロテクタ２０と、アプリケータ３０とは形状において互いに調和しなければならない。しかしながら、実際には、歯科矯正固定部品の形状とは無関係にプロテクタの外側輪郭を常に同一に構成することができる。この場合、アプリケータは様々なプロテクタに適合する必要はなく、常に同一形状を有することができる。
【００２６】
同様に、接着表面３は歯の形状に適合するようになされていない。なぜなら、歯へのこの適合はアプリケータの輪郭によって達成されるからである。したがって、それほど異ならない歯科矯正部品の形状を求められる。現実の適合はアプリケータ３０の密閉表面３３上で好ましく実行される。この要素がプラスチックからなり付随する弾力性を有するので、一方では、適合はより敏感に成し遂げられ、他方では、弾力性が有る程度の不正確性を吸収し得ることによって扱いにくくなくなる。
【００２７】
アプリケータ２０の密閉表面３３は、歯科矯正固定要素がプラスチックを覆い隠す層によって部分的に取り囲まれることを可能にする。そして、この結果、保持強度は実質的に粘着剤の粘着力に相当する。最善の接着力を得るため、好ましくは、ある構造を接着表面に設けてもよい。このような接着表面の構造が図５に示されている。接着表面３は表面３上に不規則に配分された適切な凹部あるいは隆起部１３を有している。本例において、ここにおいて２つの部品から形成された歯科矯正固定要素の接着表面が示されている。この歯科矯正固定部品は、例えば、図７に側面図が示されるとともに図６に接着表面側の正面図が示されているような部品１’から構成してもよい。ここで、フック７’は、それ自体が固定フック（a fastening hook）として設けられてもよいし、また第２のブラケット部品１”と協働する固定具（掛け金）用の据え付け具として設けられてもよい。この場合同時に、プロテクタ２０とアプリケータ３０とは組立枠として作用する。ここで、２つの歯科矯正固定部品１’，１”は互いに関連にして正確な位置において保持され、共に粘着剤を塗布されて硬化される。ここに示された２部品からなる形態の他、もちろん同様に３つまたはそれ以上の部品からなる歯科矯正固定部品を接続することも可能である。これにより、患者の要求に従って適合されなければならない複雑な形状の歯科矯正固定部品を全体形状として多数形成する必要がなく、いくつかの簡単な基本要素を用いて複雑な形状を有する様々な歯科矯正固定要素を構成することができるという利点がもたらされる。
【００２８】
予め製造されたキット（a premanufactured kit）が、原則的に製造者から使用者へ供給されることが予想される。同時に、取り付けられる歯科矯正固定要素が直接アプリケータに保持されてもよい。工業的な製造と組立とによってプロテクタをアプリケータの部分として製造することも可能であり、これにより、プロテクタはもはや遊離した別個の部品ではない。実際に多数部品からなる歯科矯正固定要素において、これら別個の部品は正確に適合した状態でアプリケータに挿入され得る。これにより、アプリケータはプロテクタの機能を果たすことができる。加えて、歯科矯正固定要素が正確に適合した状態で挿入されることが可能であり、例えば成形可能なプラスチック塊のような、軟らかいプロテクタ部分が成形される一方で、すべての方向の指標３６，３７，３８を備え、比較的硬いプラスチックシェルからなる外側シェルとしてアプリケータを製造することもできる。
【００２９】
方法が実施される場合、歯科矯正固定要素の製造者は、歯科矯正固定要素のはじめの時期から付随するプロテクタを正確に適合して取り付けておくこともあるだろう。この場合、本発明による方法の手順ｂ）は歯科矯正固定部品の製造者によって実施される。
【００３０】
方法の非常に大きな利益は、この結果として、歯科矯正医の作業労力を低減すること、および歯科矯正固定部品の取り付け精度を向上させることにある。同様に、歯科矯正医は比較的高価な多数の異なる歯科矯正固定部品を手元に備えておく必要が無くなる。
【図面の簡単な説明】
【００３１】
【図１】例としてブラケットとした歯科矯正固定部品を示す図。
【図２】図１の歯科矯正固定部品を形成する構成に適合された対応するプロテクタを示す図。
【図３】適切な指標を備え、プロテクタ上に配置され得りプロテクタを覆うアプリケータを示す図。
【図４】弓状ワイヤ（アーチワイヤ）の形式をとった固定具（掛け金）を示す斜視図。
【図５】２つの部品からなる固定部品の内の一方の接着（粘着）表面の構成を示す図。
【図６】２つの部品からなる固定部品の内の他方の接着（粘着）表面の構成を示す図。
【図７】２つの部品からなる固定部品の内の小さい方の部品を示す側面図。
【図８】接続された状態を示す図。
【図９】接続された部品を示す側面図。
【符号の説明】
【００３２】
１  ブラケット
２  ブラケット部品のベース
３  ベースの接着表面
４  合金製矯正アーチ用の垂直支持表面
５  固定要素
５’  合金製矯正アーチ用の水平支持表面
５”  嵌め込み溝
６  弓状ワイヤ（アーチワイヤ）の固定具または固定具（掛け金）スプリング
７  ビードの形式をとった支持部
８  ベースに対して直交する溝
９，９’，９”  嵌め込みノッチ
１０  歯科矯正固定部品
１３  凹部または隆起部
２０  プロテクタ
２１  固定ビード
２２  ウェブ
２３  リブ
２４  固定口
３０  アプリケータ
３１  受け体
３２  受けキャビティ
３３  密閉表面
３４  固定ブロック
３５  指示棒
３６  角度指示棒
３７  継ぎ足し部
３８  ねじれ指標
【図１】
2005519671.tif 000003
【図２】
2005519671.tif 000004
【図３】
2005519671.tif 000005
【図４】
2005519671.tif 000006
【図５】
2005519671.tif 000007
【図６】
2005519671.tif 000008
【図７】
2005519671.tif 000009
【図８】
2005519671.tif 000010
【図９】
2005519671.tif 000011
【国際調査報告】
2005519671.tif 000012
2005519671.tif 000013
2005519671.tif 000014
2005519671.tif 000015
2005519671.tif 000016
2005519671.tif 000017
2005519671.tif 000018